(57)【要約】  温度および湿度の少なくとも一方を適切に調節し、且つ、空気中のＣＯ２濃度を適切な値に調節する。空調システム（１００）は、ＣＯ２濃度検出部（１３）と、流路ａ〜ｂまたは流路ｃを介し取り込んだ空気からＣＯ２を吸収した後取り込み元の流路に排出するＣＯ２吸収ユニット（４０）と、取り込む空気の量を、上記ＣＯ２濃度に応じて調節するＣＯ２濃度制御部（２５）と、を備える。
2017018160.tif 000002
【特許請求の範囲】
【請求項１】
空気の温度および湿度の少なくとも一方を調節する空調ユニットと、空間内の空気を上記空調ユニットに導入する第１流路と、上記空調ユニットから排出される空気を上記空間に導入する第２流路と、を備えた空調システムであって、
上記空間内の空気のＣＯ２濃度を検出するＣＯ２濃度検出部と、
上記第１流路または上記第２流路を介し取り込んだ空気からＣＯ２を吸収した後取り込み元の流路に排出するＣＯ２吸収ユニットと、
上記ＣＯ２吸収ユニットに取り込む空気の量を、上記ＣＯ２濃度検出部が検出した上記ＣＯ２濃度に応じて調節する流量制御部と、を備えることを特徴とする空調システム。
【請求項２】
上記流量制御部は、上記ＣＯ２濃度が所定の濃度以上である場合に、上記ＣＯ２吸収ユニットに空気が取り込まれるように上記ＣＯ２吸収ユニットを制御することを特徴とする、請求項１に記載の空調システム。
【請求項３】
上記ＣＯ２吸収ユニットは、
空気中のＣＯ２を吸収するＣＯ２吸収材を内包するＣＯ２吸収部と、
上記第１流路または上記第２流路に流れる空気の全部または一部を上記ＣＯ２吸収部の内部に導入するための第３流路と、
上記ＣＯ２吸収部から排出される空気を、上記第１流路または上記第２流路における、上記第３流路の接続箇所より下流に排出する第４流路と、を備え、
上記流量制御部は上記ＣＯ２濃度に応じて、上記ＣＯ２吸収ユニットの上記第３流路および上記第４流路を流れる空気の量をそれぞれ制御することを特徴とする請求項１または２に記載の空調システム。
【請求項４】
上記第３流路および上記第４流路はそれぞれ、当該流路と上記第１流路または上記第２流路との分岐点に可動弁を備えており、
上記流量制御部は上記ＣＯ２濃度に応じて、上記第３流路および上記第４流路の上記可動弁の開口面積を制御することを特徴とする、請求項３に記載の空調システム。
【請求項５】
上記ＣＯ２吸収ユニットは上記ＣＯ２吸収材のＣＯ２吸収能を回復させるための再生機構を有しており、
上記流量制御部は、上記ＣＯ２濃度が所定の濃度未満である場合は上記再生機構を稼働させることを特徴とする、請求項３または４に記載の空調システム。
【請求項６】
上記ＣＯ２吸収ユニットは上記ＣＯ２吸収材が吸収したＣＯ２を空気中に放出させるための放出機構を有しており、
上記流量制御部は、上記ＣＯ２濃度が所定の範囲外である場合に上記第３流路および上記第４流路に空気が流れるように上記ＣＯ２吸収ユニットを制御し、さらに上記ＣＯ２濃度が上記所定の範囲を下回る場合には上記放出機構を稼働させることを特徴とする、請求項３または４に記載の空調システム。
【請求項７】
上記ＣＯ２吸収ユニットを複数個備え、
上記流量制御部は、上記ＣＯ２吸収ユニットそれぞれに取り込む空気の量を、上記ＣＯ２濃度に応じて制御することを特徴とする、請求項２〜６のいずれか１項に記載の空調システム。
【請求項８】
空間内の空気の温度および湿度の少なくとも一方を調節し上記空間内に排出する空調ユニットを備えた空調システムに追加されるＣＯ２吸収ユニットであって、
空気中のＣＯ２を吸収するＣＯ２吸収材を内包したＣＯ２吸収部を備え、
上記空間内の空気を上記空調ユニットに導入するための第１流路または上記空調ユニットから排出される空気を上記空間に導入する第２流路のいずれかを介し上記ＣＯ２吸収部に取り込む空気の流量を、上記空調システムに含まれるＣＯ２濃度検出部が検出したＣＯ２濃度に応じて、上記空調システムに含まれる流量制御部に制御されることを特徴とする、ＣＯ２吸収ユニット。
【発明の詳細な説明】
【技術分野】
【０００１】
本発明は、空気中の二酸化炭素濃度を制御する空調システムに関する。
【背景技術】
【０００２】
ＰＭ２．５（Particulate Matter:微小粒子状物質）による大気汚染などの環境汚染問題や人々の節電思考の高まりによって、住居、オフィスなどの室内の密閉性を高める必要性が高くなっている。その一方、室内の密閉性を高めると当該室内の空気中の二酸化炭素（ＣＯ２）濃度が増加し、人体に悪影響を与える可能性がある。例えば、室内のＣＯ２濃度が１０００ｐｐｍ程度になると、人間は集中力の低下を起こしたり、眠気を感じたりする。このような悪影響を避けるため、オフィスの室内の場合、空気中のＣＯ２濃度を所定の範囲内に保つように、労働基準法で定められている。【０００３】
室内のＣＯ２濃度を調節するための技術として、室内に排気口と給気口とを設け、排気口からの空気を温度調節するとともにＣＯ２を活性炭に吸着させることで空気中のＣＯ２を除去する技術が開発されている（下記特許文献１）。
【先行技術文献】
【特許文献】
【０００４】
【特許文献１】日本国公開特許公報「特開２００１−３１７７８０号公報（公開日：２００１年１１月１６日）」
【発明の概要】
【発明が解決しようとする課題】
【０００５】
しかしながら、温度調節のために最適な空気の流量と、ＣＯ２濃度の調節のために最適な空気の流量とは必ずしも一致しない。そのため、特許文献１に開示されたＣＯ２の除去方法では、温度調節に適した空気の流量にした場合、ＣＯ２吸収量の調節が不可能または困難になる虞がある。特に、ＣＯ２濃度の調節対象となる室内に居る人の人数変動などがあると、空気中のＣＯ２濃度を適切な値に調節することが難しくなる。つまり、従来技術では、温度および湿度の少なくとも一方を適切に調節することと、空気中のＣＯ２濃度を適切な値に調節することとの両立を図ることができなかった。【０００６】
本願発明は、上記の問題点に鑑みなされたものであり、その目的は、温度および湿度の少なくとも一方を適切に調節し、且つ、空気中のＣＯ２濃度を適切な値に調節することができる空調システムおよびＣＯ２吸収ユニットを提供することにある。
【課題を解決するための手段】
【０００７】
上記の課題を解決するために、本発明の一態様に係る空調システムは、空気の温度および湿度の少なくとも一方を調節する空調ユニットと、空間内の空気を上記空調ユニットに導入する第１流路と、上記空調ユニットから排出される空気を上記空間に導入する第２流路と、を備えた空調システムであって、上記空間内の空気のＣＯ２濃度を検出するＣＯ２濃度検出部と、上記第１流路または上記第２流路を介し取り込んだ空気からＣＯ２を吸収した後取り込み元の流路に排出するＣＯ２吸収ユニットと、上記ＣＯ２吸収ユニットに取り込む空気の量を、上記ＣＯ２濃度検出部が検出した上記ＣＯ２濃度に応じて調節する流量制御部と、を備えることを特徴としている。【０００８】
また、上記の課題を解決するために、本発明の一態様に係るＣＯ２吸収ユニットは、空間内の空気の温度および湿度の少なくとも一方を調節し上記空間内に排出する空調ユニットを備えた空調システムに追加されるＣＯ２吸収ユニットであって、空気中のＣＯ２を吸収するＣＯ２吸収材を内包したＣＯ２吸収部を備え、上記空間内の空気を上記空調ユニットに導入するための第１流路または上記空調ユニットから排出される空気を上記空間に導入する第２流路のいずれかを介し上記ＣＯ２吸収部に取り込む空気の流量を、上記空調システムに含まれるＣＯ２濃度検出部が検出したＣＯ２濃度に応じて、上記空調システムに含まれる流量制御部に制御されることを特徴としている。
【発明の効果】
【０００９】
本発明の一態様によれば、温度および湿度の少なくとも一方を適切に調節し、且つ、空気中のＣＯ２濃度を適切な値に調節することができる。
【図面の簡単な説明】
【００１０】
【図１】本発明の実施形態１に係る空調システムの要部構成を示す図である。
【図２】上記空調システムのＣＯ２吸収ユニットの構成を示す図である。
【図３】上記ＣＯ２吸収ユニットに含まれているＣＯ２吸収部の構成を示す図である。
【図４】上記空調システムにおける空調制御方法を示すフローチャートである。
【図５】上記空調システムの構成の他の一例を示す図である。
【図６】上記空調システムの構成のさらに他の一例を示す図である。
【発明を実施するための形態】
【００１１】
〔実施形態１〕
以下、本発明の第１の実施形態について図１〜４を参照して説明する。まず始めに、本実施形態に係る空調システム１００の要部構成について図１を参照して説明する。図１は、本実施形態に係る空調システム１００の要部構成を示す図である。
【００１２】
≪空調システム１００の要部構成≫
空調システム１００は、室内の空調制御を行うためのシステムである。本実施形態において「室内」とは、空調システム１００によりＣＯ２濃度を制御される対象の空間内であり、空気が存在し、所定の密閉が可能な、生物が活動する空間である。一例としては、室内とは、住宅（特に高気密構造の住宅）の居住空間、工場またはオフィス等の職場空間、ならびに車、鉄道、飛行機、船舶等の輸送機関内の空間内などを示す。なお、「所定の密閉が可能な空間」とは、自発的に密閉性を高めること（窓又はドアを閉める、換気扇の動作を抑制するファン等の部屋を与圧にさせる装置を動作させる等）ができる空間や高気密構造の住宅のように構造的に比較的密閉性が高い空間を示す。
【００１３】
空調システム１００は、検出ユニット１０と、制御ユニット２０と、空調ユニット３０と、ＣＯ２吸収ユニット４０とを含んでいる。なお、以降の説明では、特段の記載が無い限り室内の空気のことを単に「空気」と称し、室外から導入される空気のことを「外気」と称する。空調システム１００では図示の通り、室内から排出された空気が通過する流路ａ（第１流路）と、流路ａからの空気（および通風口６０からの空気）を空調ユニット３０へと導入する流路ｂ（第１流路）と、空調ユニット３０から排出された空気を室内へと導入する流路ｃ（第２流路）とが設けられている。なお、空調システム１００は図示の通り、外気を取り入れる通風口６０と、外気の流量を制御する外気流量コントローラ６１とを含んでいてもよい。さらに、空調システム１００では、流路ｂの途中に、流路ｄへの空気の流量を制御する分岐流量コントローラ６２が設けられており、分岐流量コントローラ６２の前後を挟むようにＣＯ２吸収ユニット４０が接続されている。そして、ＣＯ２吸収ユニット４０においては、後述するＣＯ２吸収部を通る空気の流路ｄ（第３流路および第４流路）が形成されている。
【００１４】
換言すると、空調システム１００において、室内から排出された空気は流路ａを通過し、必要に応じて外気と混合され、流路ｂを通過する。なおこのとき、流路ｂを通過する空気は、分岐流量コントローラ６２の制御に応じて一部または全部が流路ｄを経由する。そして、空気は空調ユニット３０を通過した後、流路ｃを通過し室内に戻される。
【００１５】
本発明に係る空調システム１００は、温度および湿度の少なくとも一方が適切に調節され、且つ、ＣＯ２濃度が適切に調節された空気を、上記室内に導入させるために、上記流路ａ〜ｂ（第１流路）および上記流路ｃ（第２流路）の少なくとも一方の流路の途中に設けられ、当該流路を流れる空気のＣＯ２濃度を、上記室内のＣＯ２濃度に応じて調節し、調節後の空気を上記流路に排出するＣＯ２濃度調節部を備えている。このＣＯ２濃度調節部は、上述したＣＯ２吸収ユニット４０および制御ユニット２０によって実現している。
【００１６】
（検出ユニット１０）
次に、空調システム１００の要部構成についてより詳細に説明する。検出ユニット１０は、タイマー１１と、温湿度検出部１２と、ＣＯ２濃度検出部１３とを含む。タイマー１１は時間を計測し、制御ユニット２０に随時通知する。温湿度検出部１２は、制御ユニット２０からの指示に従って温度および湿度を検出し、検出値を制御ユニット２０に送信する。ＣＯ２濃度検出部１３は、制御ユニット２０からの指示に従って空気中のＣＯ２濃度を検出し、検出値を制御ユニット２０に送信する。ＣＯ２濃度検出部１３は、例えば赤外線方式または電解質方式のＣＯ２センサなどで実現できる。なお、図１では検出ユニット１０は室内に設けられているが、例えば流路ａまたは流路ｂの分岐流量コントローラ６２の上流側に設けてもよい。また、タイマー１１、温湿度検出部１２、およびＣＯ２濃度検出部１３はそれぞれ独立して別個の場所に設けられていてもよい。
【００１７】
（制御ユニット２０）
制御ユニット２０は、検出ユニット１０の温湿度検出部１２およびＣＯ２濃度検出部１３の検出値を受信し、当該検出値に応じて空調ユニット３０およびＣＯ２吸収ユニット４０の動作を制御するものである。制御ユニット２０は、温湿度制御部２１と、ＣＯ２濃度制御部（流量制御部）２５とを備えており、タイマー１１から受信する計測時間が所定時間に達した場合、温湿度検出部１２に温度および湿度、ＣＯ２濃度検出部１３にＣＯ２濃度を検出させて、これらの検出値を受信する。
【００１８】
温湿度制御部２１は、温湿度検出部１２の検出値に応じて空調ユニット３０を制御するものである。温湿度制御部２１は温湿度判定部２２を含む。温湿度制御部２１が温湿度検出部１２から検出値（温度および湿度を示す情報）を受信すると、温湿度判定部２２は、上記温度および湿度が、それぞれ設定された所定の温度および湿度の範囲内であるか否かを判定する。温度および湿度のうち、温度が上記所定の温度の範囲外であると温湿度判定部２２が判定した場合、温湿度制御部２１は空調ユニット３０に、温度調節を指示する。より具体的には、温湿度制御部２１は温度が上記所定の範囲より低いと温湿度判定部２２が判定した場合、空調ユニット３０に空調ユニット３０を通過する空気の温度を上げるよう指示し、温度が上記所定の範囲より高いと温湿度判定部２２が判定した場合、空調ユニット３０に空調ユニット３０を通過する空気の温度を下げるよう指示する。
【００１９】
また、温度および湿度のうち、湿度が上記所定の湿度の範囲を超えていると温湿度判定部２２が判定した場合、温湿度制御部２１は空調ユニット３０に、湿度調節を指示する。より具体的には、温湿度制御部２１は湿度が上記所定の範囲より低いと温湿度判定部２２が判定した場合、空調ユニット３０に湿度を上げるよう指示し、湿度が上記所定の範囲より高いと温湿度判定部２２が判定した場合、空調ユニット３０に湿度を下げるよう指示する。
【００２０】
さらに、温度および湿度の両方が上記所定の温度および湿度の範囲外であると温湿度判定部２２が判定した場合、温湿度制御部２１は空調ユニット３０に、温度調節および湿度調節を指示する。なお、温度および湿度がいずれも所定の範囲内であると温湿度判定部２２が判定した場合、温湿度制御部２１は、空調ユニット３０に対し指示を出さないか、または後述するファン３５を稼働させる指示のみを送信する。
【００２１】
なお、温度および湿度の所定の範囲とは、例えば室内の人間が快適に過ごせる範囲の温度および湿度である。温度および湿度の所定の範囲は、空調システム１００のユーザが自由に設定可能な値であってもよい。
【００２２】
ＣＯ２濃度制御部２５は、ＣＯ２濃度検出部１３の検出値に応じてＣＯ２吸収ユニット４０を制御するものである。ＣＯ２濃度制御部２５はＣＯ２濃度判定部２６を含む。ＣＯ２濃度制御部２５がＣＯ２濃度検出部１３から検出値（空気中のＣＯ２濃度を示す情報）を受信すると、ＣＯ２濃度判定部２６は、上記空気中のＣＯ２濃度が、予め設定されている所定の濃度以上であるか否かを判定する。ここで、上記所定の濃度とは、人体に悪影響を与えないＣＯ２濃度の上限値（例えば１０００ｐｐｍなど）である。なお、上記所定の濃度は、空調システム１００のユーザが自由に設定可能な値であってもよい。空気中のＣＯ２濃度が上記所定の濃度以上であるとＣＯ２濃度判定部２６が判定した場合、ＣＯ２濃度制御部２５はＣＯ２吸収ユニット４０に、空気中のＣＯ２を吸収するよう指示する。
【００２３】
より具体的には、上記指示にはＣＯ２吸収ユニット４０の導入風量コントローラ４１（後述）および排出風量コントローラ４２（後述）の可動弁の開口具合（開口面積）を規定する情報が含まれている。例えば、空気中のＣＯ２濃度が上記所定の濃度を大きく上回っているとＣＯ２濃度判定部２６が判定した場合、ＣＯ２濃度制御部２５は導入風量コントローラ４１および排出風量コントローラ４２の可動弁の開口面積を最大にする指示をＣＯ２吸収ユニット４０に送信する。これにより、流路ｂの空気が最大限、流路ｄに流れ込むことになり、後述するＣＯ２吸収部５０によるＣＯ２の吸収が最大限に行われる。一方、空気中のＣＯ２濃度が上記所定の濃度をわずかに上回っているとＣＯ２濃度判定部２６が判定した場合、ＣＯ２濃度制御部２５は導入風量コントローラ４１および排出風量コントローラ４２の開口面積を最大面積よりも小さくすることにより、流路ｄに流れ込む空気の量を制限する。これにより、空気中のＣＯ２を吸収しすぎることを防ぐことができる。なお、上述のような空気中のＣＯ２濃度と導入風量コントローラ４１および排出風量コントローラ４２の開口面積との対応関係は一例であり、当該対応関係は適宜設定してよい。
【００２４】
ＣＯ２濃度制御部２５はさらに、上述した導入風量コントローラ４１および排出風量コントローラ４２の可動弁の開口具合に応じた開口面積で、分岐流量コントローラ６２の可動弁を開くよう分岐流量コントローラ６２を制御してもよい。
【００２５】
一方、検出値が上記所定の濃度未満の場合、ＣＯ２濃度制御部２５はＣＯ２吸収ユニット４０に対し、分岐流量コントローラ６２の可動弁を開口させる。またＣＯ２濃度制御部２５はこのとき、後述する排出風量コントローラ４２の可動弁を開口させる指示を送信する、またはＣＯ２吸収ユニット４０に対し指示を出さない。
【００２６】
（空調ユニット３０）
空調ユニット３０は、空気の温度および湿度を調節する装置である。空調ユニット３０は、フィルタ３１および３３と、温度調節部３２と、空気の湿度を調節する湿度調節部３４と、ファン３５とを含む。フィルタ３１および３３は、流路ｂを通過してきた空気中の塵などを取り除くフィルタである。なお、空調ユニット３０としては、温度または湿度の何れか一方を調節するユニットであってもよい。また、空調ユニット３０は温度または湿度の調節のために、室外機などを備えていてもよい。
【００２７】
温度調節部３２は、空気の温度を調節するための加熱コイルおよび冷却コイルである。温度調節部３２は、空調ユニット３０が受信した制御ユニット２０からの温度制御の指示が、空調ユニット３０を通過する空気の温度を上げる指示であった場合は加熱コイルを稼働させて空気を熱し、空調ユニット３０を通過する空気の温度を下げる指示であった場合は冷却コイルを稼働させて空気を冷やす。これにより、流路ｂから空調ユニット３０に流れ込んだ空気の温度は、所定の範囲内の温度になる、または所定の範囲内の温度により近づけられる。
【００２８】
湿度調節部３４は、より具体的には除湿器および加湿器である。湿度調節部３４は、制御ユニット２０からの湿度制御の指示が湿度を上げる指示であった場合は加湿器を稼働させて空気の湿度を上げ、湿度を下げる指示であった場合は除湿器を稼働させて空気の湿度を下げる。これにより、流路ｂから空調ユニット３０に流れ込んだ空気の湿度は、所定の範囲内の湿度になる、または所定の範囲内の湿度により近づけられる。
【００２９】
流路ｂを通過し空調ユニット３０に導入された空気は、フィルタ３１、温度調節部３２、フィルタ３３、そして湿度調節部３４を通過する。なお、空気が上記各部を通過する順序は特に限定されず、フィルタ３１および３３は必須の構成ではない。空調ユニット３０の上述した各部を通過した空気は、最後にファン３５を介して流路ｃに排出される。これにより、空調ユニット３０を通過する空気は温度および湿度が所定の範囲内の（または所定の範囲により近い）温度および湿度に整えられ、流路ｃを介し室内へと給気される。
【００３０】
ファン３５は、空調ユニット３０内を通過した空気を流路ｃに送り込むものである。ファン３５は、空調ユニット３０が制御ユニット２０から受信した指示に応じて稼働または停止されてもよいし、常時稼働されていてもよい。
【００３１】
（ＣＯ２吸収ユニット４０）
ＣＯ２吸収ユニット４０は、空気をＣＯ２吸収材（後述するＣＯ２吸収ペレット５２）に通すことにより、空気中のＣＯ２濃度を減少させる装置である。以下、図２を用いて、ＣＯ２吸収ユニット４０の構成について説明する。図２は、ＣＯ２吸収ユニット４０の構成を示す図である。ＣＯ２吸収ユニット４０は図示の通り、導入風量コントローラ４１と、排出風量コントローラ４２と、ＣＯ２吸収部５０とを含む。なお、図示の通り、以降流路ｄのうちＣＯ２吸収部５０（後述）の上流の流路を流路ｄ１（第３流路）、下流の流路を流路ｄ２（第４流路）と称する。
【００３２】
導入風量コントローラ４１は、ＣＯ２吸収ユニット４０に導入する空気の流量と、分岐流量コントローラ６２を通過していく空気の流量とを制御するものであり、ＣＯ２吸収ユニット４０と流路ｂとの分岐点に設けられる。より具体的には、導入風量コントローラ４１は空気の流量を開口面積によって制御可能な可動弁を有しており、当該可動弁は、制御ユニット２０のＣＯ２濃度制御部２５の制御に応じて制御される。導入風量コントローラ４１の開口面積と、分岐流量コントローラ６２の開口面積とを制御することにより、分岐流量コントローラ６２を通過する空気の量と、流路ｄを通過する空気の量とを調節することができる。
【００３３】
排出風量コントローラ４２は、ＣＯ２吸収ユニット４０から排出する空気の流量を制御するものであり、ＣＯ２吸収ユニット４０と流路ｂとの分岐点、かつ流路ｂに対する流路ｄ１の接続箇所より下流に設けられる。排出風量コントローラ４２も導入風量コントローラ４１と同様に、空気の流量を開口面積によって制御可能な可動弁を有しており、当該可動弁は、制御ユニット２０のＣＯ２濃度制御部２５の制御に応じて制御される。より具体的には、排出風量コントローラ４２の可動弁の開口面積は、導入風量コントローラ４１の可動弁の開口面積に応じて、流路ｂおよび流路ｄの空気の流れが妨げられないように制御される。排出風量コントローラ４２の可動弁は、流路ｄ１への空気の流入量が０（すなわち、導入風量コントローラ４１の可動弁が閉じている状態）のとき、分岐流量コントローラ６２を通過した空気が流路ｄ２に逆流しないようにするために閉じられる。
【００３４】
ＣＯ２吸収ユニット４０は、流路ｂの途中に、当該ＣＯ２吸収ユニット４０の導入風量コントローラ４１と排出風量コントローラ４２とで分岐流量コントローラ６２の前後を挟むように接続される。そして、ＣＯ２吸収ユニット４０は制御ユニット２０から受信するＣＯ２濃度の制御指示に従って、導入風量コントローラ４１および排出風量コントローラ４２の開口面積を調節する。
【００３５】
なお、図１の例ではＣＯ２吸収ユニット４０は流路ｂに接続しているが、ＣＯ２吸収ユニット４０は、空調ユニット３０から排出された（すなわち、温度および湿度が調節された後の）空気が室内へと戻る流路（流路ｃ）の途中に接続されていてもよい。また、ＣＯ２吸収ユニット４０には図示の通り、ＣＯ２吸収部５０にて生じる圧力損失を補填するためのファン４３が設けられていてもよい。ファン４３を設けることにより、空調システム１００全体の空気の流量を、ＣＯ２吸収ユニット４０を設けなかった場合（すなわち、空調ユニット３０により空気の温度および湿度の調節のみを行うような場合）の空気の流量と同様にできる。そのため、空調ユニット３０による温度および湿度の調節機能を、ＣＯ２吸収ユニット４０を設けなかった場合と同じ程度の性能で実現することができる。
【００３６】
（ＣＯ２吸収部の構成）
ここで、ＣＯ２吸収部５０について図３を用いてより詳細に説明する。図３は、ＣＯ２吸収ユニット４０に含まれているＣＯ２吸収部５０の構成を示す図である。なお、図中の矢印は空気の流れる方向を示している。ＣＯ２吸収部５０は図示の通り、ＣＯ２吸収ペレット（ＣＯ２吸収材）５２と、フィルタカバー５１とを備える。さらに、フィルタカバー５１には交換口５５と、流入孔５３と、排出孔５４とが設けられている。
【００３７】
フィルタカバー５１は、ＣＯ２吸収ペレット５２を内包し保持するものである。フィルタカバー５１はＣＯ２吸収ペレット５２を流入孔５３および排出孔５４以外からの空気から遮断して保持することができるものであれば、その材質や形状は特に限定されない。フィルタカバー５１に設けられた交換口５５は、ＣＯ２吸収ペレット５２の交換のための開口部であり、開閉自在に設計される。
【００３８】
流入孔５３は、流路ｄ１から流入する空気を、フィルタカバー５１の内部に取り入れて、ＣＯ２吸収ペレット５２へ導入するための孔である。なお、流路ｄ１内の粉塵がフィルタカバー５１内に入り込みＣＯ２吸収ペレット５２に付着することを防ぐため、流入孔５３には防塵フィルタが設けられていることが望ましい。排出孔５４は、流路ｄ２へ、ＣＯ２が吸収された後の空気（ＣＯ２濃度が減少した後の空気）を排出するための孔である。なお、流路ｄ２にＣＯ２吸収ペレット５２の破片等が排出されることを防ぐため、排出孔５４には防塵フィルタが設けられていることが望ましい。
【００３９】
ＣＯ２吸収ペレット５２は、流入孔５３から供給される空気に含まれるＣＯ２を吸収（または吸着）するＣＯ２吸収材である。ＣＯ２吸収ペレット５２は、流入孔５３から流入した空気が排出孔５４から排出されるまでの間に、当該空気中のＣＯ２を吸収可能であれば、その材質は特に限定されない。しかしながら、ＣＯ２吸収ペレット５２は、常温（例えば１５〜２８℃）および常圧で空気中のＣＯ２を吸収できる材質であることが望ましい。またＣＯ２吸収ペレット５２は、低濃度（例えば１０００ｐｐｍ以下）のＣＯ２を、比較的高速（流入孔５３から流入した空気が排出孔５４から排出されるまでの期間）で吸収可能な材質であることが望ましい。このように、常温常圧でＣＯ２が吸収可能な場合、および高速でＣＯ２を吸収可能である場合は、ＣＯ２の吸収に要するエネルギー（ＣＯ２吸収ペレット５２の加熱や加圧など）を削減することができる。このような望ましい条件を満たす材質としては、Ｌｉ２ＺｒＯ３、ＬｉＦｅＯ２、ＬｉＮｉＯ２、Ｌｉ２ＴｉＯ３、Ｌｉ２ＳｉＯ３、Ｌｉ４ＳｉＯ４等のリチウム複合酸化物が挙げられる。
【００４０】
なお、ＣＯ２吸収ユニット４０は、上述したようにフィルタカバー５１の内部にＣＯ２吸収ペレット５２を充填し、ＣＯ２吸収ペレットに空気を通すような粒子充填形式には限られない。また、流路ｄ１およびｄ２の経路や形状も図１の経路および形状に限定されない。例えば、ＣＯ２吸収部５０として、不織布等にＣＯ２吸収材を担持させるモジュール充填方式や、ハニカム構造のベース材にＣＯ２吸収材を塗布するハニカム型フィルタ方式等を採用してもよい。
【００４１】
≪空調システム１００における空調制御方法≫
最後に、空調システム１００における空調制御の方法（空調制御方法）について、図４を用いて説明する。図４は、空調システム１００における空調制御方法を示すフローチャートである。
【００４２】
空調システム１００において、検出ユニット１０のタイマー１１は時間を計測し、計測結果を随時制御ユニット２０へと送信している。制御ユニット２０は、タイマー１１の計測時間が所定時間に達しているか否かを判定する（Ｓ１００）。タイマー１１の計測時間が所定時間に達した場合（Ｓ１００でＹＥＳ）、制御ユニット２０は温湿度検出部１２に温度および湿度を、ＣＯ２濃度検出部１３にＣＯ２濃度をそれぞれ検出するように指示する。
【００４３】
ＣＯ２濃度検出部１３は制御ユニット２０からの指示を受けると、空気中のＣＯ２濃度を検出し（Ｓ１０２）、検出値を制御ユニット２０のＣＯ２濃度制御部２５へと送信する。ＣＯ２濃度制御部２５のＣＯ２濃度判定部２６は、上記ＣＯ２濃度の検出値が所定の濃度以上か否かを判定する（Ｓ１０４）。ＣＯ２濃度の検出値が上記所定の濃度以上である場合（Ｓ１０４でＹＥＳ）、ＣＯ２濃度制御部２５はＣＯ２吸収ユニット４０に、空気中のＣＯ２を吸収するよう指示する。ＣＯ２吸収ユニット４０は上記指示の規定に基づき、導入風量コントローラ４１および排出風量コントローラ４２の可動弁を開口させ（Ｓ１０６）、その開口面積を調節することにより、ＣＯ２吸収部５０を通過する空気量を調節する。また、ＣＯ２濃度制御部２５は分岐流量コントローラ６２の可動弁を、導入風量コントローラ４１および排出風量コントローラ４２の可動弁の開口面積に応じた開口面積となるように制御してもよい。結果、図１における流路ｄを通過した（ＣＯ２吸収部５０を通過した）空気と、流路ｂの分岐流量コントローラ６２を通過した空気とが混ぜ合わされることにより、ＣＯ２濃度が調節された空気が空調ユニット３０へと流れ込む。
【００４４】
なお、ＣＯ２濃度の検出値が上記所定の濃度未満の場合（Ｓ１０４でＮＯ）、空気中のＣＯ２濃度を調節しなくてもよいため、ＣＯ２濃度制御部２５はＣＯ２吸収ユニット４０に対し、導入風量コントローラ４１および排出風量コントローラ４２を閉じる指示を送信する。この場合、分岐流量コントローラ６２の可動弁は全開されていて構わない。ＣＯ２吸収ユニット４０は当該指示に応じて導入風量コントローラ４１および排出風量コントローラ４２の可動弁を閉じる（Ｓ１０８）。これにより、流路ｂから流路ｄへの空気の流入を防ぐことができるため、ＣＯ２吸収部５０によるＣＯ２の吸収を行わないようにすることができる。また分岐流量コントローラ６２を通過した空気が流路ｄに逆流することを防ぐことができる。
【００４５】
一方、温湿度検出部１２は制御ユニット２０からの指示を受けると、温度および湿度を検出し（Ｓ１１０）、当該検出値を温湿度制御部２１へと送信する。温湿度制御部２１の温湿度判定部２２は、上記温度の検出値が所定の温度の範囲内であるか否かを判定する（Ｓ１１２）。温度の検出値が上記所定の温度の範囲を超えている場合（Ｓ１１２でＮＯ）、温湿度制御部２１は、空調ユニット３０に温度調節を指示し、空調ユニット３０は温度調節部３２を稼働させて上記所定の温度の範囲内になるように温度を調節する（Ｓ１１４）。なお、温度の検出値が所定の温度の範囲内である場合（Ｓ１１２でＹＥＳ）、温湿度制御部２１はファン３５を稼働させる指示を送信するか、または常時ファン３５が可動している場合は上記指示を送信しない。
【００４６】
温湿度判定部２２はさらに、湿度の検出値が所定の湿度の範囲内であるか否かを判定する（Ｓ１１６）。湿度の検出値が上記所定の湿度の範囲を超えている場合（Ｓ１１６でＮＯ）、温湿度制御部２１は、空調ユニット３０に湿度調節を指示し、空調ユニット３０は湿度調節部３４を稼働させて上記所定の湿度の範囲内になるように湿度を調節する（Ｓ１１８）。なお、湿度の検出値が所定の湿度の範囲内である場合（Ｓ１１６でＹＥＳ）、温湿度制御部２１はファン３５を稼働させる指示を送信するか、または常時ファン３５が可動している場合は上記指示を送信しない。これにより、流路ｂから空調ユニット３０に流れ込んだ空気は、ＣＯ２濃度、温度、および湿度を調節された空気となってファン３５から流路ｃへと排出される。そして、当該空気は流路ｃを通過して室内に戻される。なお、制御ユニット２０は空調ユニット３０およびＣＯ２吸収ユニット４０に制御指示を出した後、タイマーをリセットし（Ｓ１２０）、再びタイマーが所定時間に達した場合、Ｓ１００以降の処理が繰り返し行われる。
【００４７】
なお、Ｓ１０２〜Ｓ１０８の処理と、Ｓ１１０〜Ｓ１１８の処理とは並行して、または上述した順序と逆の順序で行われても構わない。また、制御ユニット２０は温湿度検出部１２およびＣＯ２濃度検出部１３の検出値に応じて、外気流量コントローラ６１の可動弁を開閉させることにより、流路ａを通過してきた室内の空気と、外気とを混合して流路ｂに送ってもよい。これにより、室内の空気を換気しつつ、ＣＯ２濃度、温度、および湿度を調節することができる。さらに、タイマー１１は計測時間を制御ユニット２０に送信せず、当該計測時間が所定の時間に達した場合に温湿度検出部１２およびＣＯ２濃度検出部１３に直接検出を指示してもよい。
【００４８】
以上の処理によると、空調システム１００は、流路ｄへの空気の流入量を、空調ユニット３０への空気の流入量とは別に制御できる。そのため、ＣＯ２吸収部５０のＣＯ２吸収効率が最適になるように流入量を制御することができる。また、ＣＯ２を吸収する必要のない時に空気がＣＯ２吸収部５０を通過することが無いため、ＣＯ２吸収部５０内部のＣＯ２吸収ペレット５２がＣＯ２を吸収可能な期間をより長くすることができる。さらに言えば、上記期間が長くなることにより、ＣＯ２吸収材の交換または再生に係るコストやエネルギーを抑えることができる。
【００４９】
また、上記処理によると、換気することなく空間内のＣＯ２濃度を制御できるので、異臭や花粉、大気中の有害物質（ＰＭ２．５など）が空間内に流入することを防止した上で、ＣＯ２濃度の上昇に伴う人体への悪影響を防止することができる。加えて、換気を伴わないため、換気を行った際の空調損失を削減することができる。
【００５０】
なお、本実施形態では、空調ユニット３０は温度および湿度を調節する機能を有することとしたが、空調ユニット３０は温度および湿度の少なくともいずれかを調節することができればよい。例えば、空調ユニット３０が空気の温度調節のみ行う場合は、温湿度検出部１２は温度のみ検出し、温湿度判定部２２は温度に係る判定処理のみ行えばよい。そして、温湿度制御部２１は空調ユニット３０に対し、温度調節の指示を出すことができればよい。逆に、例えば、空調ユニット３０が空気の湿度制御のみ行う場合は、温湿度検出部１２は湿度のみ検出し、温湿度判定部２２は湿度に係る判定処理のみ行えばよい。そして、温湿度制御部２１は空調ユニット３０に対し、湿度調節の指示を出すことができればよい。
【００５１】
〔実施形態２〕
本発明において、ＣＯ２吸収部５０には、ＣＯ２吸収ペレット５２を再生する（吸収ペレット５２のＣＯ２吸収能を回復する）ための再生機構が設けられていてもよい。以下、本発明の実施形態２について説明する。なお、説明の便宜上、前記実施形態にて説明した部材と同じ機能を有する部材についてはその説明を省略する。
【００５２】
本実施形態に係る空調システム１００は、ＣＯ２吸収部５０にＣＯ２吸収ペレット５２を再生するための再生機構が設けられている点において、実施形態１に係る空調システム１００と異なる。上記再生機構は、ＣＯ２吸収ペレット５２の性質により適宜設計されるものである。以下、ＣＯ２吸収ペレット５２の性質と、再生機構の構成とについて具体例を挙げて説明する。
【００５３】
Ｌｉ２ＺｒＯ３、ＬｉＦｅＯ２、ＬｉＮｉＯ２、Ｌｉ２ＴｉＯ３、Ｌｉ２ＳｉＯ３、Ｌｉ４ＳｉＯ４等のリチウム複合酸化物は、所定の温度以下ではＣＯ２を吸収し、所定の温度より高温になると、吸収し保持していたＣＯ２を放出する性質を有している。このような性質を持つ材質をＣＯ２吸収ペレット５２として用いた場合、上記再生機構として、ＣＯ２吸収ペレット５２（またはＣＯ２吸収ペレット５２を保持しているフィルタカバー５１）を加熱するためのヒーター、または、空調ユニット３０の排熱など、空調システム１００もしくは室内および室外で生じた排熱をＣＯ２吸収ペレット５２に供給する排熱供給部が設けられる。一方、圧力変化により吸収したＣＯ２を放出する材質をＣＯ２吸収ペレット５２として用いた場合は、再生機構として、稼働によりフィルタカバー５１の内部を負圧にすることができるファンが設けられる。
【００５４】
そして、ＣＯ２吸収ユニット４０は、制御ユニット２０からの指示に応じて再生機構を稼働させることにより、ＣＯ２吸収部５０のＣＯ２吸収ペレット５２をリフレッシュさせる。例えばＣＯ２濃度検出部１３の検出値が所定のＣＯ２濃度未満の場合、すなわち、現時点でＣＯ２濃度の調節が必要ない場合に、ＣＯ２濃度制御部２５はＣＯ２吸収ユニット４０に対し、再生機構を稼働させるように指示すればよい。もしくは、ＣＯ２吸収ユニット４０はＣＯ２吸収ペレット５２がＣＯ２を吸収した量が一定以上となった場合、すなわちＣＯ２吸収ペレット５２のＣＯ２吸収能が低下したと予測される場合に制御ユニット２０の指示に依らずに再生機構を稼働させ、ＣＯ２の排出を行ってもよい。なお、ＣＯ２吸収ペレット５２がＣＯ２を吸収した量は、ＣＯ２吸収ペレット５２の使用前の重量を、現在（使用後）の重量から差し引くことで求められる。
【００５５】
また、上述したいずれかの再生機構の働きによりＣＯ２吸収ペレット５２から放出されたＣＯ２は、流路ａ〜ｄの空気と混ざらないように、室外に排出されればよい。また、ＣＯ２吸収ユニット４０は上記再生機構を稼働させる際に、空気がＣＯ２吸収部５０を通過しないように（すなわち、図２における流路ｄ１およびｄ２に空気が流れないように）導入風量コントローラ４１および排出風量コントローラ４２の可動弁を閉じることが望ましい。
【００５６】
以上の処理により、空調システム１００は、適宜ＣＯ２吸収ペレット５２のリフレッシュを行うことにより、ＣＯ２吸収ペレット５２をより長い間利用することができる。また、ＣＯ２吸収ペレット５２のＣＯ２吸収能を最大限に活用することができる。したがって、ＣＯ２吸収ペレット５２の交換を無くす、または交換頻度を減らすことができるという効果を奏する。
【００５７】
なお、制御ユニット２０は、ＣＯ２吸収ユニット４０にＣＯ２吸収ペレット５２に再生機構を稼働させる指示を出す代わりに、ユーザにＣＯ２吸収ペレット５２をリフレッシュさせるよう通知し、入力装置（図示せず）などを介しユーザがリフレッシュを指示する操作を行った場合にＣＯ２吸収ユニット４０に再生機構を稼働させてもよい。
【００５８】
このように、本実施形態に係る構成によると、空調システム１００は、ＣＯ２吸収ペレット５２を再生することができる。特に、現時点で空気中のＣＯ２濃度の調節が必要ない場合、またはＣＯ２吸収ペレット５２のＣＯ２吸収能が低下した場合に再生機構を稼働させＣＯ２吸収ペレット５２の再生を行うことで、ＣＯ２吸収ペレット５２がＣＯ２を吸収可能な期間をより長くし、ＣＯ２吸収ペレット５２の交換に係るコストまたはエネルギー損失を低減することができる。
【００５９】
〔実施形態３〕
本発明において、ＣＯ２吸収ユニット４０はさらに、ＣＯ２吸収部５０において空気中のＣＯ２を吸収するのみならず、当該空気にＣＯ２を添加できるような構成であってもよい。以下、本発明の実施形態３について説明する。
【００６０】
本実施形態に係る空調システム１００は、ＣＯ２吸収部５０にＣＯ２吸収ペレット５２からＣＯ２を空気中に放出させるための放出機構が設けられている点において、実施形態１に係る空調システム１００と異なる。なお、上記放出機構は実施形態２における再生機構と同様に、ＣＯ２吸収ペレット５２の性質に応じて設計されればよい。
【００６１】
本実施形態において、ＣＯ２濃度制御部２５のＣＯ２濃度判定部２６は、ＣＯ２濃度検出部１３の検出値が所定のＣＯ２濃度の範囲（所定の範囲）内であるか否かを判定する。検出値が所定のＣＯ２濃度の範囲よりも高い場合、ＣＯ２濃度制御部２５はＣＯ２吸収ユニット４０に対し、空気中のＣＯ２を吸収するように指示する。当該処理は、実施形態１に記載の処理と同様である。一方、検出値が所定のＣＯ２濃度の範囲よりも低い（所定の範囲を下回る）場合、ＣＯ２濃度制御部２５はＣＯ２吸収ユニット４０に対し、空気にＣＯ２を添加するよう指示する。ＣＯ２吸収ユニット４０は当該指示を受信すると、導入風量コントローラ４１および排出風量コントローラ４２の可動弁を開け流路ｄに空気を取り入れるとともに、上記放出機構を稼働させる。これにより、ＣＯ２吸収部５０のフィルタカバー５１内の空気中にはＣＯ２が増加するので、ＣＯ２吸収部５０を通過した空気は、ＣＯ２が添加された空気となる。
【００６２】
空気中のＣＯ２濃度は、所定の濃度（例えば１０００ｐｐｍ）以上になると人間の健康を害する虞がある。しかしながら、空気中のＣＯ２濃度は低下しすぎても人間の健康上好ましくない。例えば、空気中のＣＯ２が不足すると、当該空気を吸った人間は、血液がアルカリ性になり失神や痙攣を起こす虞がある。したがって、空間内のＣＯ２濃度を適切な濃度に保つためには、空気中のＣＯ２濃度の上限値だけでなく、下限値も設定してＣＯ２濃度を制御することがより好ましい。そのため、上述した「所定のＣＯ２濃度の範囲」とは、人体に悪影響を与えない範囲のＣＯ２濃度であることが好ましい。
【００６３】
ここで、本実施形態に係る構成によると、空調システム１００は、空気中のＣＯ２濃度を所定の範囲内に収める、または所定の範囲内により近づけることができる。したがって、本実施形態に係る構成によると、空気中のＣＯ２濃度が人間の健康を害する程度に低下した場合はＣＯ２吸収部を流れる空気にＣＯ２を添加することにより、空気中のＣＯ２濃度を適切な値に保つことができる。
【００６４】
〔実施形態４〕
さらに、本発明において、空調システム１００は、図１に示した分岐流量コントローラ６２とＣＯ２吸収ユニット４０との組み合わせを、複数箇所に設けていても構わない。図５は、空調システム１００の構成の他の一例を示す図である。図５に示す空調システム１００では、流路ｂの途中に上記組合せが２箇所以上設けられている。なお、上記組合せは、流路ｂに１箇所以上と流路ｃに流路ｂと同様な形態で１箇所以上、設けられてもよい。
【００６５】
さらに、制御ユニット２０は上記複数個のＣＯ２吸収ユニット４０のうち、いくつのＣＯ２吸収ユニット４０に空気を導入する（外気流量コントローラ６１および分岐流量コントローラ６２の可動弁を開ける）かを決定し、各ＣＯ２吸収ユニット４０に個別の指示を送信してもよい。これにより、空調システム１００はＣＯ２吸収ユニット４０（ＣＯ２吸収ユニット４０に含まれるＣＯ２吸収部５０）を通過する風量をより自在に制御することができるので、より正確に空気中のＣＯ２濃度を制御することができる。
【００６６】
また、ＣＯ２吸収部５０に実施形態２で説明した再生機構が備えられている場合、あるＣＯ２吸収ユニット４０ではＣＯ２吸収ペレット５２のリフレッシュを行いつつ、別のＣＯ２吸収ユニット４０ではＣＯ２の吸収を行うことができる。そのため、空気中のＣＯ２濃度の制御を連続して行うことができるという利点がある。
【００６７】
また、１つのＣＯ２吸収ユニット４０の内部に複数個のＣＯ２吸収部５０を備えていても構わない。図６は、空調システム１００の構成のさらに他の一例を示す図である。図６のＣＯ２吸収ユニット４０には、複数個のＣＯ２吸収部５０が含まれている。このようにＣＯ２吸収ユニット４０が複数個のＣＯ２吸収部５０を含む場合、複数個のＣＯ２吸収部５０を空気が通過していくことにより、空気中のＣＯ２をより多く吸収することができる。なお、空気を上記複数個のＣＯ２吸収部５０のうち、いくつのＣＯ２吸収部５０に通過させるかを、流路ｄに備えた可動弁および制御ユニット２０からの指示により制御可能であってよい。例えば、ＣＯ２濃度が３０００ｐｐｍなど極端に高い場合、流路ｄに導入された空気が全てのＣＯ２吸収部５０を通過することとしてもよい。一方、ＣＯ２濃度が所定の濃度よりもわずかに高い（例えば１１００ｐｐｍなど）場合は、流路ｄに導入された空気が一部のＣＯ２吸収部５０のみを通過することとしてもよい。
【００６８】
この場合も、ＣＯ２吸収部５０に実施形態２で説明した再生機構が備えられている場合、あるＣＯ２吸収ユニット４０ではＣＯ２吸収ペレット５２のリフレッシュを行いつつ、別のＣＯ２吸収ユニット４０ではＣＯ２の吸収を行うことができる。そのため、空気中のＣＯ２濃度の制御を連続して行うことができるという利点がある。
【００６９】
〔ソフトウェアによる実現例〕
制御ユニット２０の制御ブロック（温湿度制御部２１およびＣＯ２濃度制御部２５）は、集積回路（ＩＣチップ）等に形成された論理回路（ハードウェア）によって実現してもよいし、ＣＰＵ（Central Processing Unit）を用いてソフトウェアによって実現してもよい。
【００７０】
後者の場合、制御ユニット２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７１】
〔まとめ〕
本発明の態様１に係る空調システム（１００）は、空気の温度および湿度の少なくとも一方を調節する空調ユニット（３０）と、空間（室内）内の空気を上記空調ユニットに導入する第１流路（流路ａおよび流路ｂ）と、上記空調ユニットから排出される空気を上記空間に導入する第２流路（流路ｃ）と、を備えた空調システムであって、上記空間内の空気のＣＯ２濃度を検出するＣＯ２濃度検出部（１３）と、上記第１流路または上記第２流路を介し取り込んだ空気からＣＯ２を吸収した後取り込み元の流路に排出するＣＯ２吸収ユニット（４０）と、上記ＣＯ２吸収ユニットに取り込む空気の量を、上記ＣＯ２濃度検出部が検出した上記ＣＯ２濃度に応じて調節する流量制御部（ＣＯ２濃度制御部２５）と、を備えることを特徴としている。
【００７２】
上記の構成によれば、ＣＯ２吸収ユニットは、上記ＣＯ２濃度検出部が検出したＣＯ２濃度に応じた量（流量）の空気を第１流路または第２流路を介し取り込み、取り込んだ空気からＣＯ２を吸収し、吸収後の空気を取り込み元の流路に排出する。したがって、空間内の空気のＣＯ２濃度に応じて、第２流路を通り室内に戻される空気のＣＯ２濃度を調節することができる。また、上記の構成によれば、ＣＯ２吸収ユニットを通過する空気の流量は、第１流路および第２流路を流れる空気の量（すなわち、空調ユニットを通過する空気の流量）と別個に制御できる。したがって、空間内において、空気の温度および湿度の少なくとも一方を適切に調節し、且つ、上記空気中のＣＯ２濃度を適切な値に調節することができる。
【００７３】
本発明の態様２に係る空調システムは、上記態様１において、上記流量制御部は、上記ＣＯ２濃度が所定の濃度以上である場合に、上記ＣＯ２吸収ユニットに空気が取り込まれるように上記ＣＯ２吸収ユニットを制御することを特徴としている。
【００７４】
ここで、「所定の濃度」とは、例えば人体に悪影響を与えないＣＯ２濃度の上限値である。上記の構成によれば、流量制御部は、ＣＯ２濃度が所定の濃度以上になった場合、すなわち空気中のＣＯ２を吸収する必要がある時に、ＣＯ２吸収ユニットに空気が流れるようにする。このように必要な時にＣＯ２吸収ユニットによるＣＯ２吸収を行うことにより、空気中のＣＯ２濃度を適切に制御できることに加え、ＣＯ２吸収材を吸収可能な期間をより長くすることができる。そのため、ＣＯ２吸収材の交換または再生に係るコストやエネルギーを抑えることができる。
【００７５】
本発明の態様３に係る空調システムは、上記態様１または２において、上記ＣＯ２吸収ユニットは、空気中のＣＯ２を吸収するＣＯ２吸収材（ＣＯ２吸収ペレット５２）を内包するＣＯ２吸収部（５０）と、上記第１流路または上記第２流路に流れる空気の全部または一部を上記ＣＯ２吸収部の内部に導入するための第３流路（流路ｄ１）と、上記ＣＯ２吸収部から排出される空気を、上記第１流路または上記第２流路における、上記第３流路の接続箇所より下流に排出する第４流路（流路ｄ２）と、を備え、上記流量制御部は上記ＣＯ２濃度に応じて、上記ＣＯ２吸収ユニットの上記第３流路および上記第４流路を流れる空気の量をそれぞれ制御することを特徴としている。
【００７６】
上記の構成によれば、空間内の空気のＣＯ２濃度に応じて、当該空気の全部または一部が、第３流路を介しＣＯ２吸収ユニットに導入されＣＯ２吸収部を通過する。このとき、通過する空気からＣＯ２がＣＯ２吸収材に吸収される。そして、ＣＯ２吸収部から排出された空気、すなわちＣＯ２が吸収された後の空気が、第４流路を介し再び第１流路または第２流路に戻される。
【００７７】
換言すると、空調システムは、ＣＯ２吸収ユニットを通る空気の流路を、空調ユニットを通る流路から分岐させた流路（第３流路および第４流路）として備えている。したがって、空調システムは、空調ユニットを通る空気の流量と、ＣＯ２吸収ユニットを通る空気の流量とを別個に制御することができる。
【００７８】
本発明の態様４に係る空調システムは、上記態様３において、上記第３流路および上記第４流路はそれぞれ、当該流路と上記第１流路または上記第２流路との分岐点に可動弁（導入風量コントローラ４１および排出風量コントローラ４２）を備えており、上記流量制御部は上記ＣＯ２濃度に応じて、上記第３流路および上記第４流路の上記可動弁の開口面積を制御することを特徴としている。
【００７９】
上記の構成によれば、流量制御部は空気中のＣＯ２濃度に応じて、第３流路および第４流路を流れる空気量を制御することができる。例えば、空気中のＣＯ２濃度が所定の濃度を大きく上回っており、速やかにＣＯ２濃度を低下させる必要がある場合、流量制御部は第３流路および第４流路の可動弁の開口面積が最大になるよう制御する。これにより、第１流路または第２流路の空気が最大限、第３流路に流れ込み、第４流路から排出されることになり、ＣＯ２吸収部におけるＣＯ２の吸収が最大限に行われる。一方、空気中のＣＯ２濃度が上記所定の濃度をわずかに上回っている場合、流量制御部は上記開口面積を最大面積よりも小さくすることにより、第３流路に流れ込む（および第４流路から排出される）空気の量を制限することができる。これにより、空気中のＣＯ２を吸収しすぎることを防ぐことができる。
【００８０】
本発明の態様５に係る空調システムは、上記態様３または４において、上記ＣＯ２吸収ユニットは上記ＣＯ２吸収材のＣＯ２吸収能を回復させるための再生機構を有しており、上記流量制御部は、上記ＣＯ２濃度が所定の濃度未満である場合は上記再生機構を稼働させることを特徴としている。
【００８１】
ここで、「所定の濃度」とは、例えば人体に悪影響を与えないＣＯ２濃度の上限値である。したがって上記の構成によれば、空気中のＣＯ２濃度が人体に悪影響を与えない程度の濃度である場合、すなわち現時点で空気中のＣＯ２濃度の調節が必要ない場合に再生機構を稼働させＣＯ２吸収材のＣＯ２吸収能を回復させる。これにより、ＣＯ２吸収材がＣＯ２を吸収可能な期間をより長くすることができる。したがって、ＣＯ２吸収材の交換に係るコストまたはエネルギー損失を低減することができる。
【００８２】
本発明の態様６に係る空調システムは、上記態様３または４において、上記ＣＯ２吸収ユニットは上記ＣＯ２吸収材が吸収したＣＯ２を空気中に放出させるための放出機構を有しており、上記流量制御部は、上記ＣＯ２濃度が所定の範囲外である場合に上記第３流路および上記第４流路に空気が流れるように上記ＣＯ２吸収ユニットを制御し、さらに上記ＣＯ２濃度が上記所定の範囲を下回る場合には上記放出機構を稼働させることを特徴としている。
【００８３】
ここで、上記所定の範囲とは例えば、人体に悪影響を与えないＣＯ２濃度の範囲を示す。したがって上記の構成によれば、空気中のＣＯ２濃度が人間の健康を害する程度に低下した場合はＣＯ２吸収部を流れる空気にＣＯ２を添加することにより、空気中のＣＯ２濃度を適切な値に保つことができる。
【００８４】
本発明の態様７に係る空調システムは、上記態様２〜６のいずれか１態様において、上記ＣＯ２吸収ユニットを複数個備え、上記流量制御部は、上記ＣＯ２吸収ユニットそれぞれに取り込む空気の量を、上記ＣＯ２濃度に応じて制御することを特徴としている。
【００８５】
上記の構成によれば、空調システムは複数のＣＯ２吸収部を通過する風量をそれぞれ自在に制御することができる。そのため、空気中のＣＯ２濃度をより正確に調節することができる。
【００８６】
本発明の態様８に係るＣＯ２吸収ユニットは、空間（室内）内の空気の温度および湿度の少なくとも一方を調節し上記空間内に排出する空調ユニット（３０）を備えた空調システム（１００）に追加されるＣＯ２吸収ユニット（４０）であって、空気中のＣＯ２を吸収するＣＯ２吸収材（ＣＯ２吸収ペレット５２）を内包したＣＯ２吸収部（ＣＯ２吸収部５０）を備え、上記空間内の空気を上記空調ユニットに導入するための第１流路または上記空調ユニットから排出される空気を上記空間に導入する第２流路のいずれかを介し上記ＣＯ２吸収部に取り込む空気の流量を、上記空調システムに含まれるＣＯ２濃度検出部が検出したＣＯ２濃度に応じて、上記空調システムに含まれる流量制御部（ＣＯ２濃度制御部２５）に制御されることを特徴としている。
【００８７】
上記の構成によれば、上記態様１に記載の空調システムと同様の効果を奏する。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１００  空調システム
１３  ＣＯ２濃度検出部
２０  制御ユニット
２５  ＣＯ２濃度制御部（流量制御部）
３０  空調ユニット
４０  ＣＯ２吸収ユニット
４１  導入風量コントローラ
４２  排出風量コントローラ
５０  ＣＯ２吸収部
５２  ＣＯ２吸収ペレット（ＣＯ２吸収材）
ａ、ｂ、ｃ、ｄ、ｄ１、ｄ２  流路
【図１】
2017018160.tif 000003
【図２】
2017018160.tif 000004
【図３】
2017018160.tif 000005
【図４】
2017018160.tif 000006
【図５】
2017018160.tif 000007
【図６】
2017018160.tif 000008
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
空気の温度および湿度の少なくとも一方を調節する空調ユニットと、空間内の空気を上記空調ユニットに導入する第１流路と、上記空調ユニットから排出される空気を上記空間に導入する第２流路と、を備えた空調システムであって、
上記空間内の空気のＣＯ２濃度を検出するＣＯ２濃度検出部と、
上記第１流路または上記第２流路を介し取り込んだ空気からＣＯ２を吸収した後取り込み元の流路に排出するＣＯ２吸収ユニットと、
上記ＣＯ２吸収ユニットに取り込む空気の量を、上記ＣＯ２濃度検出部が検出した上記ＣＯ２濃度に応じて調節する流量制御部と、を備え、
１つの上記空間に対して複数の上記ＣＯ２吸収ユニットを備えることを特徴とする空調システム。
【請求項２】
上記流量制御部は、上記ＣＯ２濃度が所定の濃度以上である場合に、上記ＣＯ２吸収ユニットに空気が取り込まれるように上記ＣＯ２吸収ユニットを制御することを特徴とする、請求項１に記載の空調システム。
【請求項３】
上記ＣＯ２吸収ユニットは、
空気中のＣＯ２を吸収するＣＯ２吸収材を内包するＣＯ２吸収部と、
上記第１流路または上記第２流路に流れる空気の全部または一部を上記ＣＯ２吸収部の内部に導入するための第３流路と、
上記ＣＯ２吸収部から排出される空気を、上記第１流路または上記第２流路における、上記第３流路の接続箇所より下流に排出する第４流路と、を備え、
上記流量制御部は上記ＣＯ２濃度に応じて、上記ＣＯ２吸収ユニットの上記第３流路および上記第４流路を流れる空気の量をそれぞれ制御することを特徴とする請求項１または２に記載の空調システム。
【請求項４】
上記第３流路および上記第４流路はそれぞれ、当該流路と上記第１流路または上記第２流路との分岐点に可動弁を備えており、
上記流量制御部は上記ＣＯ２濃度に応じて、上記第３流路および上記第４流路の上記可動弁の開口面積を制御することを特徴とする、請求項３に記載の空調システム。
【請求項５】
上記ＣＯ２吸収ユニットは上記ＣＯ２吸収材のＣＯ２吸収能を回復させるための再生機構を有しており、
上記流量制御部は、上記ＣＯ２濃度が所定の濃度未満である場合は上記再生機構を稼働させることを特徴とする、請求項３または４に記載の空調システム。
【請求項６】
上記ＣＯ２吸収ユニットは上記ＣＯ２吸収材が吸収したＣＯ２を空気中に放出させるための放出機構を有しており、
上記流量制御部は、上記ＣＯ２濃度が所定の範囲外である場合に上記第３流路および上記第４流路に空気が流れるように上記ＣＯ２吸収ユニットを制御し、さらに上記ＣＯ２濃度が上記所定の範囲を下回る場合には上記放出機構を稼働させることを特徴とする、請求項３または４に記載の空調システム。
【請求項７】
上記流量制御部は、上記ＣＯ２吸収ユニットそれぞれに取り込む空気の量を、上記ＣＯ２濃度に応じて制御することを特徴とする、請求項２〜６のいずれか１項に記載の空調システム。
【手続補正２】
【補正対象書類名】明細書
【補正対象項目名】００６８
【補正方法】変更
【補正の内容】
【００６８】
この場合も、ＣＯ２吸収部５０に実施形態２で説明した再生機構が備えられている場合、あるＣＯ２吸収部５０ではＣＯ２吸収ペレット５２のリフレッシュを行いつつ、別のＣＯ２吸収部５０ではＣＯ２の吸収を行うことができる。そのため、空気中のＣＯ２濃度の制御を連続して行うことができるという利点がある。
【手続補正３】
【補正対象書類名】明細書
【補正対象項目名】００７４
【補正方法】変更
【補正の内容】
【００７４】
ここで、「所定の濃度」とは、例えば人体に悪影響を与えないＣＯ２濃度の上限値である。上記の構成によれば、流量制御部は、ＣＯ２濃度が所定の濃度以上になった場合、すなわち空気中のＣＯ２を吸収する必要がある時に、ＣＯ２吸収ユニットに空気が流れるようにする。このように必要な時にＣＯ２吸収ユニットによるＣＯ２吸収を行うことにより、空気中のＣＯ２濃度を適切に制御できることに加え、ＣＯ２を吸収可能な期間をより長くすることができる。そのため、ＣＯ２吸収材の交換または再生に係るコストやエネルギーを抑えることができる。
【国際調査報告】
2017018160.tif 000009
2017018160.tif 000010
2017018160.tif 000011
2017018160.tif 000012